(57)【要約】【課題】樹脂フィルムが立体的に伸張されて成形される場合でも回路の導電性の低下や破断の無い回路シートを提供すること。【解決手段】回路シート１１は、樹脂フィルム１２に導電性塗膜からなる回路１３を有しており、厚み方向に突出する立体形状部１２ａを有する。立体形状部１２ａには、回路１３の導電線１４に沿って形成した複数のスリット１５を有する。このスリット１５は、立体形状部１２ａをなす樹脂フィルム１２の延伸方向に開くことが可能であり、それによって樹脂フィルム１２の伸びを吸収する。このため導電線１４の伸びを抑制することができる。【選択図】図１
2019009332.tif 000002
【特許請求の範囲】
【請求項１】
樹脂フィルムに導電性塗膜の導電線を形成した回路を有する回路シートにおいて、
前記樹脂フィルムがその厚み方向に突出する立体形状部を有し、
当該立体形状部には前記導電線に沿って形成した複数のスリットを有しており、
当該スリットは前記立体形状部をなす樹脂フィルムの延伸方向に開いていることを特徴とする回路シート。
【請求項２】
前記樹脂フィルムが、その厚み方向に突出しない平坦部を有し、当該平坦部にも前記複数のスリットを有する請求項１記載の回路シート。
【請求項３】
前記複数のスリットを一列の破線状に配置する請求項１又は請求項２記載の回路シート。
【請求項４】
前記複数のスリットを導電線の両側に配置する請求項１〜請求項３何れか１項記載の回路シート。
【請求項５】
前記複数のスリットを導電線の片側だけで複数列配置する請求項１〜請求項４何れか１項記載の回路シート。
【請求項６】
前記複数のスリットが並列に配置されており、
隣接するスリットどうしが互い違いに配置されている請求項１〜請求項５何れか１項記載の回路シート。
【請求項７】
前記平坦部と立体形状部との境界近傍に配置する前記スリットが、それ以外に配置するスリットに比べてスリットの長さが長いか、スリットどうしの間隔が短い請求項１〜請求項６何れか１項記載の回路シート。
【請求項８】
前記樹脂フィルムの立体形状部のうち曲率が小さい箇所に設けるスリットに比べて曲率が大きい箇所に設けるスリットの長さが長いか、スリットどうしの間隔が短い請求項１〜請求項６何れか１項記載の回路シート。
【請求項９】
一のスリットの長さが１０ｍｍ以下である請求項１〜請求項８何れか１項記載の回路シート。
【請求項１０】
前記樹脂フィルムよりも伸張性のある材質でなり前記スリットを覆う保護層を設けた請求項１〜請求項９何れか１項記載の回路シート。
【請求項１１】
導電性塗膜が、樹脂バインダー中に導電性粒子が分散した導電性材料からなる請求項１〜請求項１０何れか１項記載の回路シート。
【発明の詳細な説明】
【技術分野】
【０００１】
本発明は、各種電気機器等で用いられる回路シートに関する。より詳しくは樹脂フィルムに導電性塗膜の導電線による回路を有する回路シートに関する。
【背景技術】
【０００２】
電子機器の筐体の内部に各種の電子部品や回路をコンパクトにまとめて配置するため、樹脂フィルムに導電性塗膜による導電線にて形成した回路配線を設けた回路シートが用いられている。この回路シートは、薄い樹脂フィルムを基材とするため変形が容易であり、電子機器の筐体の立体的な形状に沿って配置できるように、樹脂フィルムを厚み方向で屈曲させたり、樹脂フィルムを平面方向に延伸させたりすることで、立体形状に成形されて形成されている。こうした回路シートは、例えば特開２００５−１６７２１６号公報（特許文献１）に三次元成形回路シートとして記載されている。
【先行技術文献】
【特許文献】
【０００３】
【特許文献１】特開２００５−１６７２１６号公報
【発明の概要】
【発明が解決しようとする課題】
【０００４】
立体形状の回路シートは、前述のように樹脂フィルムを屈曲したり延伸したりすることで立体形状が付与される。そのため例えば図１２で示すように、樹脂フィルム１が立体成形される際に平面上の全方向に延伸されると、回路を形成する導電線２も樹脂フィルム１と同様に全方向に延伸され、導電線２に含まれる導電性粒子が薄く広がってその密度が疎になり、導電性が低下したり電気的に断線したりする原因となるおそれがある。
【０００５】
以上のような従来技術を背景になされたのが本発明である。本発明の目的は、樹脂フィルムがその厚み方向に突出する立体形状部を有しており、そこで樹脂フィルムが伸びていても回路の導電性の低下や破断の無い回路シートを提供することを目的とする。
【課題を解決するための手段】
【０００６】
上記目的を達成すべく本発明は以下の回路シートを提供する。
【０００７】
本発明は、樹脂フィルムに導電性塗膜の導電線を形成した回路を有する回路シートについて、前記樹脂フィルムが、その厚み方向に突出する立体形状部を有しており、その立体形状部には、前記導電線に沿って隣接して形成した複数のスリットを有しており、当該スリットは前記立体形状部をなす樹脂フィルムの延伸方向に開いていることを特徴とする。
【０００８】
本発明の回路シートによれば、立体形状部に導電線を形成した回路が形成されているため、三次元形状の回路シートとして構成することができる。そして立体形状部には、前記導電線に沿って隣接して形成した複数のスリットが形成されており、それが立体形状部をなす樹脂フィルムの延伸方向に開いていることで、樹脂フィルムに対する延伸方向への引っ張りは、その方向に開いているスリットにより絶縁又は緩和される。したがって樹脂フィルムの延伸とともに導電線が当該導電線の交差方向に伸びることで電気抵抗が高くなったり、破断したりすることが少なく、その結果、様々な立体形状部を有しながらも導電性の良好な回路を有する回路シートを実現することができる。
【０００９】
より具体的には、樹脂フィルムの立体形状部が、例えば金型成形により立体成形されることで、導電線に沿う方向に導電線が伸ばされるものの、導電線の交差方向にはスリットが開口しており導電線は伸ばされにくく縮まることになる。したがって、スリットが無く導電線が全方向に延伸されるときよりも全体的には導電線が伸ばされなくなるので、導電性を保つことができる。複数の導電線が密集して形成する回路ではその複数の導電線をまとめてそれらの外側にスリットを設けることができる。
【００１０】
前記本発明は、樹脂フィルムがその厚み方向に突出しない平坦部を有し、当該平坦部にも前記スリットを有するように構成できる。
【００１１】
したがって本発明によれば平坦部についても導電線の伸びによる導電性の低下や破断を防ぐことができる。
【００１２】
前記本発明のスリットは一列の破線状に配置するように構成できる。
【００１３】
スリットを一列の破線状に配置したことにより、導電性の低下や破断の無い回路シートとすることができる。
【００１４】
前記本発明のスリットは導電線の片側に配置するように構成できる。
【００１５】
導電線に隣接してスリットを形成した側では、樹脂フィルムの延伸方向への伸びがスリットの開きで吸収できるため、導電線の前記交差方向への伸びを抑制することができる。
【００１６】
前記本発明のスリットは導電線の両側に配置するように構成できる。
【００１７】
これによれば、樹脂フィルムの延伸方向への伸びを導電線の両側に配置したスリットの開きで吸収できるため、前記交差方向への導電線の伸びを抑制することができる。
【００１８】
前記本発明のスリットは、導電線の片側に複数列配置するように構成できる。
【００１９】
導電線の片側に複数列のスリットがあることで、導電線の前記交差方向への伸びを複数のスリットによって多段的に抑制できる。
【００２０】
前記本発明のスリットは、導電線の両側に複数列配置するように構成できる。
【００２１】
導電線の両側に複数列のスリットがあることで、導電線の両側においてその交差方向への伸びを複数のスリットによって多段的に抑制できる。
【００２２】
前記本発明の複数のスリットは、並列に配置されており、隣接するスリットどうしを互い違いに配置するように構成できる。
【００２３】
互い違いに配置することで、樹脂フィルムに導電線を直接引っ張る箇所が無くなり、スリットの開きによって樹脂フィルムの延伸方向への伸びによる導電線の前記交差方向への伸びを、より確実に吸収することができる。
【００２４】
前記平坦部と立体形状部との境界近傍に配置する前記スリットを、それ以外に配置するスリットに比べてスリットの長さが長いか、スリットどうしの間隔を短くするように構成できる。
【００２５】
樹脂フィルムの平坦部と立体形状部との境界付近では樹脂フィルムが伸びやすくなる。しかしながら本発明であれば、スリットによってそうした導電性の低下や破断が生じやすい境界部分での導電線の伸びを抑えることができる。
【００２６】
前記樹脂フィルムの立体形状部のうち曲率が小さい箇所に設けるスリットに比べて曲率が大きい箇所に設けるスリットの長さが長いか、スリットどうしの間隔を短くするように構成できる。
【００２７】
樹脂フィルムの立体形状部で連続する面が変化する境界部分、例えば曲面の曲率が変化する境界部分では樹脂フィルムが伸びやすくなる。しかしながら本発明であれば、スリットによってそうした導電性の低下や破断が生じやすい境界部分での導電線の伸びを抑えることができる。
【００２８】
前記本発明は、一のスリットの長さが１０ｍｍ以下である回路シートとするように構成できる。
【００２９】
スリット１本あたりの長さを１０ｍｍ以下としたため、個々のスリットが短い長さで小さく開くため、樹脂フィルムの部位に応じた延伸方向への伸びにスリットごとの小さな開きで対応して導電線の伸びを抑制できる。また、長いスリットにした場合にはそれが大きく開いて樹脂フィルムに大きな変形が生じてしまうが、本発明であればそうした不都合を防止できる。
【００３０】
前記本発明は、樹脂フィルムよりも伸張性のある材質でなり、前記スリットを覆う保護層を設けるように構成できる。
【００３１】
樹脂フィルムよりも伸張性のある材質でなり、スリットを覆う保護層を設けたため、スリットの形成による樹脂フィルムの強度低下を抑えることができ、また、スリットを通じての漏水等を防止することができる。
【００３２】
前記本発明は、導電性塗膜が、樹脂バインダー中に導電性粒子が分散した導電性材料からなる回路シートとするように構成できる。
【００３３】
導電性塗膜が樹脂バインダー中に導電性粒子が分散した導電性材料からなる回路シートとしたため、導電性の低下や断線が起きにくい回路シートとすることができる。即ち、立体成形によって、導電線に沿った方向にはバインダー中の導電性粒子は疎になるが、導電線の前記交差方向には導電性粒子は密になるため、全体的には導電性を保つことができる。
【発明の効果】
【００３４】
本発明の回路シートによれば、立体形状部を有しながらも導電線の伸びを抑制できるため、回路の導電性の低下や破断を生じ難くすることができる。したがって様々な三次元形状の製品に適合する回路シートを実現できる。これによって本発明の回路シートを、例えば三次元形状のタッチパネルのような立体形状の操作装置の回路シートとして備えることができる。
【図面の簡単な説明】
【００３５】
【図１】本発明の一実施形態による回路シートの説明図であり、分図（Ａ）は平面図、分図（Ｂ）は分図（Ａ）の右側面図。
【図２】変形例１による回路シートの部分拡大図であり、分図 (Ａ)は拡大平面図、分図 (Ｂ)は分図 (Ａ)の変形例。
【図３】変形例２による回路シートの部分拡大平面図。
【図４】変形例３による回路シートの部分拡大平面図。
【図５】回路シートの一部分の変形例４の拡大平面図である。
【図６】回路シートの一部分の変形例５の拡大平面図である。
【図７】回路シートの一部分の変形例６の拡大平面図である。
【図８】回路シートの一部分の変形例７の部分拡大断面図である。
【図９】回路シートの一部分の変形例８の部分拡大断面図である。
【図１０】変形例９による回路シートの説明図であり、分図（Ａ）は平面図、分図（Ｂ）は分図（Ａ）の右側面図である。
【図１１】変形例１１による回路シートの説明図であり、分図（Ａ）は平面図、分図（Ｂ）は分図（Ａ）の右側面図、分図（Ｃ）は分図（Ａ）の手前側側面図である。
【図１２】樹脂フィルムと導電線の伸びの様子を示す説明図である。
【発明を実施するための形態】
【００３６】
本発明の実施形態について図面を参照しつつ説明する。なお、種々の変更例において、共通する材料、製造方法、効果等について重複する部分についてはその説明を省略する。
【００３７】
本実施形態の回路シート１１は、樹脂フィルム１２に導電性塗膜からなる回路１３を有する三次元形状（立体形状）の回路シートであり、回路１３を構成する導電線１４に沿って樹脂フィルム１２を貫通する複数のスリット１５を設けている。
【００３８】
図１で示す回路シート１１の樹脂フィルム１２は、図１（Ａ）の平面図では矩形状であり、図１（Ｂ）の右側面図ではその短手方向Ｙでドーム状に緩やかに湾曲して形成したものである。したがって回路シート１１は、その全体が樹脂フィルム１２の厚み方向Ｚに突出する立体形状部１２ａとして形成されている。この立体形状部１２ａは、収容する電子機器の筐体の外面や裏面の形状に沿った形状とすることができる。
【００３９】
図１では、８本の導電線１４が並んで回路１３を形成している部分を例示しており、各スリット１５は、その長さ方向が導電線１４の伸びる方向（長さ方向）に沿っている。また、スリット１５は回路１３の両側に沿って、それぞれ一列の破線状に配置している。この一列の破線状に連なる複数のスリット１５をスリット線１６と呼ぶことにする。
【００４０】
個々のスリット１５の長さは樹脂フィルム１２の大きさにもよるが、１５０ｍｍ×２００ｍｍの大きさの回路シート１１（または樹脂フィルム１２）では、１０ｍｍ以下が好ましい。１０ｍｍを超えて長く形成すると、樹脂フィルム１２が立体成形により伸張される際にスリット１５の開きが大きくなりすぎる。また、スリット１５の長さは樹脂フィルム１２の厚みにもよるが、１０μｍ〜２００μｍ程度の厚みでは１ｍｍ以上であることが好ましい。１ｍｍ未満では樹脂フィルム１２が伸張される際の開きが小さいからである。
【００４１】
また、破線状に配置するスリット１５どうしの間隔も１０ｍｍ以下が好ましい。１０ｍｍを超えるとこの部分の導電線１４が幅方向にも伸ばされて導電性を低下させるおそれがある。個々のスリット１５の形状は直線状や曲線状とすることができる。またスリット１５の幅は、刃物により切れ目を入れただけで幅の無いスリットや、抜き型等を用いて長方形状や楕円形状などの幅のあるスリットとすることができる。
【００４２】
樹脂フィルム１１には、熱可塑性樹脂フィルムを用いることができる。例えば、ポリエチレンテレフタレート（ＰＥＴ）樹脂、ポリエチレンナフタレート（ＰＥＮ）樹脂、ポリカーボネート（ＰＣ）樹脂、ポリイミド（ＰＩ）樹脂、メタアクリル（ＰＭＭＡ）樹脂、ポリプロピレン（ＰＰ）樹脂、ポリウレタン（ＰＵ）樹脂、ポリアミド（ＰＡ）樹脂、ポリエーテルサルフォン（ＰＥＳ）樹脂、ポリエーテルエーテルケトン（ＰＥＥＫ）樹脂、トリアセチルセルロース（ＴＡＣ）樹脂、シクロオレフィンポリマー（ＣＯＰ）などから形成することができる。
【００４３】
樹脂フィルム１１としては、導電性高分子との密着性を高めるプライマー層や、表面保護層、帯電防止等を目的とするオーバーコート層などのうち有機高分子からなる表面処理を施したものを用いても良い。こうした樹脂フィルム１１は、二色成形やインサート成形によって他の樹脂成形体と重ね合わせられた一体成形品としてもよい。
【００４４】
樹脂フィルム１１の厚みは、１０〜２００μｍとすることが好ましく、７５〜１２５μｍとすることがより好ましい。２００μｍまでの厚みがあれば回路シート１０としての強度は満足し、２００μｍを超えて厚くするほどに強度を高める必要性に乏しく、また厚み方向のスペースが少なくなるという不都合もある。一方、１０μｍ未満では、基材としての耐久性が不十分となるおそれがある。
【００４５】
回路１３は、銅箔等の金属箔や導電性高分子を用いて形成することもできるが、樹脂バインダー中に導電性粒子が分散した導電性塗料を用いて形成することが好ましい。導電性粒子を含むため、導電線１４が縮む方向には導電性粒子が密集し、導電線１４の導電性を高めることができる。
【００４６】
導電性粒子としては、カーボン粒子または金属でなる粒子を用いることができ、具体的には銀、銅、アルミニウム、ニッケルやそれらの合金、あるいは金属を銀や金でコーティングした粒子を挙げることができる。これらの中でも導電性が高く、耐候性を備えた銀粒子を用いることが好ましい。
【００４７】
樹脂バインダーとしては、有機高分子を用いることができる。具体的にはアクリル、エポキシ、ポリエステル、ポリウレタン、フェノール樹脂、メラミン樹脂、シリコーン、ポリアミド、ポリイミド、ポリ塩化ビニル、などの各種樹脂を例示することができる。これらの中でもポリエステルが好ましい。
【００４８】
回路シート１１の形成は、樹脂フィルム１２に回路１３になる部分をスクリーン印刷などの印刷法を用いて導電性塗膜を形成する。この導電性塗膜が導電線１４を有する回路１０となる。次に樹脂フィルム１２にスリット１５を貫通形成してから、これをプレス成形等により立体的な形状に成形する。こうして立体形状部１２ａを有する回路シート１１が得られる。成形方法としてはプレス成形のほか、真空成形や圧空成形を利用することもできる。ただし回路シート１１にスリット１５が開口した状態では空気が漏れるため、回路シート１１に柔軟な保護フィルム等を積層し、スリット１５からの空気漏れを防いだ状態で成形することが好ましい。前記保護フィルムは成形後に剥がして除去することが可能である。
【００４９】
従来の回路シートでは、立体成形時に樹脂フィルム１２が図１で示すように伸張されると導電線も伸張される。即ち、図１のようなドーム状に樹脂フィルム１２を立体成形すると、樹脂フィルム１２が厚み方向Ｚと短手方向Ｙを延伸方向として伸びる。そのため導電線１４も同様に延伸され、導電線１４に含まれる導電性粒子が薄く広がってその密度が疎になり、導電性が低下し易く電気的な断線が生じるおそれがある。
【００５０】
しかしながら、本実施形態の回路シート１１では、樹脂フィルム１２が延伸方向（厚み方向Ｚ及び短手方向Ｙ）に伸張されても、導電線１４は図１で部分拡大して示すようにスリット１５が開く方向（導電線１４の交差方向）には樹脂フィルム１２の伸びが抑制される。そしてスリット１５に沿った方向には樹脂フィルム１２が伸ばされるため、スリット１５が開かれる方向では樹脂フィルム１２が縮むこととなる。その結果、スリット１５が無く全ての方向に伸ばされる場合に比べて、導電線１４の厚さが薄くなったり導電線１４の中の導電性粒子の密度が薄くなったりすることが少なくなり、導電性を保つことができる。
【００５１】
以上のような回路シート１１については、様々な変形例での実施が可能である。図１では回路１３の一例を示したが、回路１３を構成する導電線１４の配置や本数、形状等にしたがって適宜スリット１５の配置、形状等を変更することができる。次にその変形例を説明する。
【００５２】
変形例１［図２］
一本の導電線１４の近傍に他の導電線が存在しない回路シート１１の一部分を図２に示す。こうした部分では、導電線１４の両側にスリット線１６，１６を設けることができる。スリット線１６，１６は、図２(Ａ)で示すように、導電線１４を挟んで左右対称に設けることができる（例えば図２(Ａ)のＰ１部分参照）。しかしながら、図２(Ｂ)で示すように、互い違いに設けることもできる（例えば、図２(Ｂ)のＰ２部分参照）。互い違いに設けた方が、一方側のスリット線１６でのスリット１５の無い部分を、もう一方側のスリット線１６のスリット１５で補うことができるからである。
【００５３】
変形例２［図３］
一本の導電線１４の片側に複数のスリット線１６，１６を設けた例を図３で示す。一本のスリット線１６にあるスリット１５が開くだけでは樹脂フィルム１２の延伸方向への伸びを吸収するのに足りない場合でも、他のスリット線１６にあるスリット１５が開くことで補うことができる。換言すれば、導電線１４に交差する方向で多くのスリット１５が開くことができるため、導電線１４に交差する方向に導電線１４が伸ばされにくくなる。
【００５４】
導電線１４の片側にあるスリット線１６，１６においても、互い違いに設けることが好ましい。互い違いに設けた方が、一方側のスリット線１６でのスリット１５の無い部分をもう一方側のスリット線１６にあるスリット１５で補うことができるからである。さらにスリット線１６，１６において、スリット１５を互い違いに設け、かつそれらをオーバーラップさせることにしても良い。個々のスリット１５の開きが小さくても、全体的には大きく開くことができるからである。
【００５５】
変形例３［図４］
図４で示すように、導電線１４に曲線が含まれる場合でも、その曲線に沿ったスリット１５を有するスリット線１６を設けることができる。また、導電線１４の両側にスリット１５を設けられない場合には導電線１４の片側にスリット線１６を設けても良い。
【００５６】
変形例４［図５］
複数の導電線１４が並行して回路１３を形成している図５で示すような部分については、導電線１４ごとにその両側にスリットを設けることができないので、その回路１３の一方側にスリット線１６を設けることができる。
【００５７】
変形例５［図６］
一本の導電線１４に含まれるスリット１５の大きさやその間隔は導電線１４や樹脂フィルム１２の形状によって適宜変更することができる。例えば導電線１４が曲がる部分では直線部分に比べて、また、曲率の大きい部分は曲率が小さい部分に比べて、スリット１５の長さを長くすることができる。図６で示す例では、導電線１４の曲がった部分でのスリット１５ａはその長さを長く、導電線１４の直線部分でのスリット１５ｂはその長さを短くしている。
【００５８】
変形例６［図７］
変形例６は例えば導電線１４が曲がる部分では直線部分に比べて、また、曲率の大きい部分は曲率が小さい部分に比べて、スリット１５どうしの間隔を短くすることができる。図７で示す例では、導電線１４の曲がった部分でのスリット１５ｃどうしの間隔は短く、導電線１４の直線部分でのスリット１５ｄどうしの間隔は長くしている。
【００５９】
変形例７［図８］
図８ではこれまでの図と異なり、スリット線１６部分での回路シート１１の部分拡大断面図を示す。樹脂フィルム１２の平坦部１２ｂと立体的に突出変形する立体形状部１２ａとの境界近傍に配置するスリット１５ｅを、それ以外に配置するスリット１５ｆに比べて長さを長くすることができる。また、スリット１５ｅどうしの間隔は、スリット１５ｆどうしの間隔に比べて短くすることができる。すなわち、立体的形状に立ち上がる屈曲部１２ｃの両側部分は樹脂フィルム１２の伸びが大きくなることに対応させている。
【００６０】
変形例８［図９］
図９で示すように、樹脂フィルム１２の立体形状部１２ａのうち曲率が大きい箇所１２ｄに設けるスリット１５ｇの長さを、曲率が小さい箇所１２ｅに設けるスリット１５ｈの長さに比べて長くすることができる。また、スリット１５ｇどうしの間隔はスリット１５ｈどうしの間隔に比べて短くすることができる。この場合も立体的な形状変化が大きい箇所で樹脂フィルム１２の伸びが大きくなることに対応させている。
【００６１】
変形例９［図１０］
図１０で示すのは、回路シート１１の樹脂フィルム１２の変形例である。図１の樹脂フィルム１２は短手方向Ｙの全体をドーム状に緩やかに湾曲形状に形成した例を示したが、図１０の樹脂フィルム１２は小さくドーム状に湾曲形成した立体形状部１２ａの両側に平坦部１２ｂを形成した例である。導電線１４は、立体形状部１２ａと平坦部１２ｂとを跨いで形成されている。樹脂フィルム１２が、そのように立体形状部１２ａと平坦部１２ｂとを組み合わせた形状で、導電線１４がそれらを跨ぐように形成されていても、スリット１５を形成することで樹脂フィルム１２の延伸を吸収して、導電線１４の伸びを抑制することができる。
【００６２】
変形例１０
前記実施形態の回路シート１１については、保護層を設けるようにしてもよい。保護層は、スリット１５を覆う程度の大きさがあれば良い。したがって、スリット１５ごとに独立した保護層を設けることができる。また、樹脂フィルム１２全体に保護層としての別層を積層することもできる。保護層はスリット１５が開口できるように伸びやすい塗膜材料やゴム皮膜などを用いることが好ましい。保護層を設けることで、回路１３の絶縁保護や、スリット１５を通じた塵や水分等の通過を妨げることができる。
【００６３】
変形例１１［図１１］
図１１で示すのは、回路シート１１の樹脂フィルム１２の変形例である。図１の樹脂フィルム１２は短手方向Ｙの全体をドーム状に緩やかに湾曲形状に形成した例を示したが、図１１の樹脂フィルム１２は短手方向Ｙの全体および長手方向Ｘの全体をドーム状に緩やかに湾曲形状に形成した立体形状部１２ａを形成した例である。なお、図１１（Ｂ）（Ｃ）では導電線１４及びスリット１５の表示を省略しているが、実際には図１１（Ａ）の導電線１４及びスリット１５を有している。スリット１５を形成することで樹脂フィルム１２の延伸を吸収して、導電線１４の伸びを抑制することができる。
【００６４】
上記実施形態は本発明の一例であり、こうした形態に限定されるものではなく、本発明の趣旨に反しない限度において、各部材の形状、材質、製造方法等の変更、取り替えを行い得るものである。例えば、スリット１５は破線状に形成される例を挙げたが、これは限定的に解釈されるべきではなく、長線状やミシン目状、点線状なども含むものである。
【符号の説明】
【００６５】
１    樹脂フィルム
２    導電線
１１    回路シート
１２    樹脂フィルム
１２ａ  立体形状部
１２ｂ  平坦部
１２ｃ  屈曲部（境界）
１２ｄ  曲率が大きい箇所
１２ｅ  曲率が小さい箇所
１３    回路
１４    導電線
１５，１５ａ，１５ｂ，１５ｃ，１５ｄ，１５ｅ，１５ｆ，１５ｇ，１５ｈ    スリット
１６    スリット線
Ｐ１，Ｐ２    領域
【図１】
2019009332.tif 000003
【図２】
2019009332.tif 000004
【図３】
2019009332.tif 000005
【図４】
2019009332.tif 000006
【図５】
2019009332.tif 000007
【図６】
2019009332.tif 000008
【図７】
2019009332.tif 000009
【図８】
2019009332.tif 000010
【図９】
2019009332.tif 000011
【図１０】
2019009332.tif 000012
【図１１】
2019009332.tif 000013
【図１２】
2019009332.tif 000014